(57)【要約】【課題】本発明は、エアフィルタに付着する塵埃を自動的に除去して除去手間と、エアフィルタの取外し取付け手間の省略化を図るとともに、エアフィルタ清掃を完全実行できる空気調和機の室内機を提供する。【解決手段】エアフィルタに付着した塵埃を除去し清掃するエアフィルタ清掃装置は、エアフィルタＦを所定の空気濾過位置から変位移動させるエアフィルタ送りギヤ１５と、エアフィルタの空気導入側である１次側に配置されエアフィルタに摺接して付着している塵埃を除去する塵埃除去用ブレード１８と、この塵埃除去用ブレードとエアフィルタを介した２次側に配置され、エアフィルタの移動時におけるエアフィルタとの相対速度を略０として回転し、エアフィルタに付着する塵埃を１次側に押上げるエアフィルタ押上げブラシ１６とを具備する。【選択図】    図３
2010249358.tif 000002
【特許請求の範囲】
【請求項１】
室内機本体に設けられる空気吸込み口と吹出し口とを連通する送風路中に、エアフィルタ、熱交換器、送風機が順に配置されるとともに、上記エアフィルタに付着した塵埃を除去し清掃するエアフィルタ清掃装置を備えた空気調和機の室内機において、
上記エアフィルタ清掃装置は、
上記エアフィルタを所定の空気濾過位置から変位移動させるエアフィルタ移動手段と、
上記エアフィルタに導かれる空気の導入側である１次側に着脱自在に配置され、上記エアフィルタ移動手段の作動時に、エアフィルタに摺接して、エアフィルタに付着する塵埃を除去する塵埃除去手段と、
この塵埃除去手段とエアフィルタを介した、エアフィルタに導かれた空気の導出側である２次側に配置され、上記エアフィルタの移動時における、エアフィルタとの相対速度を略０として回転し、かつエアフィルタに付着する塵埃を１次側に押上げる塵埃押上げ手段と、
を具備することを特徴とする空気調和機の室内機。
【請求項２】
上記塵埃押上げ手段は、
回転軸と、この回転軸の周面に沿って植毛され円柱状に形成されるブラシ毛からなり、
このブラシ毛は、上記回転軸に対して略直立する
ことを特徴とする請求項１記載の空気調和機の室内機。
【請求項３】
上記塵埃押上げ手段は、
上記エアフィルタ移動手段と一体に連結される
ことを特徴とする請求項１および請求項２のいずれかに記載の空気調和機の室内機。
【請求項４】
上記塵埃除去手段は、
上記塵埃押上げ手段を構成する上記回転軸と平行な回転軸を備えた回転体からなり、
この回転体の回転速度は、上記エアフィルタ移動手段によるエアフィルタの移動速度より相対的に速く設定され、
この回転体の半径に塵埃押上げ手段のブラシの半径をプラスした値が、これら回転体とブラシとの軸間距離よりも大に設定される
ことを特徴とする請求項２記載の空気調和機の室内機。
【請求項５】
上記塵埃押上げ手段を構成するブラシ毛の直径は、上記エアフィルタのフィルタ孔の直径よりも小である
ことを特徴とする請求項１ないし請求項４のいずれかに記載の空気調和機の室内機。
【発明の詳細な説明】
【技術分野】
【０００１】
本発明は、エアフィルタ清掃機能を備えた空気調和機の室内機に関する。
【背景技術】
【０００２】
一般的に空気調和機の室内機は、室内機本体内に収容される熱交換器の前面側にエアフィルタを備えている。エアフィルタは、本体内に吸込まれた室内空気を濾過し、清浄空気のみを熱交換器に導く。塵埃はエアフィルタに残り、長期の使用に亘ればエアフィルタに付着した塵埃が堆積する。
【０００３】
そのままの状態で放置すると、付着した塵埃により熱交換器に導入される風量が減少して、熱交換効率が低下する。ユーザは、適宜期間の間隔でエアフィルタを取外し、エアフィルタから塵埃を除去する必要がある。いずれにしても手間がかかり面倒な作業となるので、エアフィルタは放置され易い。
【０００４】
たとえば［特許文献１］には、エアフィルタを室内機本体から取外すことなく、室内機本体内に配置したままで、エアフィルタに付着する塵埃を自動的に除去する空気調和機用清掃装置が開示される。この空気調和機を備えたユーザは、集塵ボックスが満杯状態になった頃を見計らって取外し処理すればよく、手間の大幅低減化を得られる。
【先行技術文献】
【特許文献】
【０００５】
【特許文献１】特開２００８−１１１５９０号公報
【発明の概要】
【発明が解決しようとする課題】
【０００６】
上述の［特許文献１］は、エアフィルタを駆動軸と従動軸との間に張架するベルト状とし、一方の軸にバックアップ手段を備えてエアフィルタの裏面側に配し、この湾曲部分の表面側に清掃体を備えてなる。エアフィルタ表面に付いた塵埃が清掃体によって裏側に押しやられることが無く、塵埃を確実に除去できる、とある。
【０００７】
しかしながら、［特許文献１］の構成では、エアフィルタに付着する塵埃の除去効果としては充分でないものと思われる。すなわち、清掃体が回転してブラシ部がエアフィルタの表面を擦ると、エアフィルタの裏面側に配されるバックアップ手段である従動プーリは、塵埃を受ける受け部となる。
【０００８】
この従動プーリを備えたことで、塵埃がエアフィルタの裏面側に押しやられることはないが、従動プーリは少なくとも清掃体によって押付けられた塵埃を表面側に押し戻す機能を備えていない。したがって実際には、清掃体と従動プーリとの間に塵埃が押付けられ、エアフィルタから除去されること無く、付着したままで残る虞れがある。
【０００９】
本発明は上記事情にもとづきなされたものであり、その目的とするところは、エアフィルタに付着する塵埃を自動的に除去して除去手間と、エアフィルタの取外し取付け手間の省略化を図るとともに、エアフィルタ清掃を完全実行できる空気調和機の室内機を提供しようとするものである。
【課題を解決するための手段】
【００１０】
上記目的を満足するため本発明は、室内機本体に設けられる空気吸込み口と吹出し口とを連通する送風路中に、エアフィルタ、熱交換器、送風機が順に配置されるとともに、上記エアフィルタに付着した塵埃を除去し清掃するエアフィルタ清掃装置を備えた空気調和機の室内機において、  
上記エアフィルタ清掃装置は、エアフィルタを所定の空気濾過位置から変位移動させるエアフィルタ移動手段と、エアフィルタに導かれる空気の導入側である１次側に配置されエアフィルタ移動手段の作動時にエアフィルタに摺接してエアフィルタに付着する塵埃を除去する塵埃除去手段と、この塵埃除去手段とエアフィルタを介するエアフィルタに導かれた空気の導出側である２次側に配置され、エアフィルタ移動時におけるエアフィルタとの相対速度を略０として回転し、エアフィルタに付着する塵埃を１次側に押上げる塵埃押上げ手段とを具備する。
【発明の効果】
【００１１】
本発明によれば、エアフィルタに付着する塵埃を自動的に除去して除去手間と、エアフィルタの取外し取付け手間の省略化を図るとともに、エアフィルタ清掃を完全実行できる等の効果を奏する。
【図面の簡単な説明】
【００１２】
【図１】本発明における実施の形態に係る、空気調和機の室内機外観を示す斜視図。
【図２】同実施の形態に係る、前面パネルを取外した空気調和機室内機の斜視図。
【図３】同実施の形態に係る、前面パネルを取外した空気調和機室内機の縦断面図。
【図４】同実施の形態に係る、支持枠構造体の斜視図。
【図５】同実施の形態に係る、エアフィルタ清掃装置要部の斜視図。
【図６】同実施の形態に係る、エアフィルタ清掃装置要部の縦断面図。
【図７】同実施の形態に係る、エアフィルタ清掃装置の縦断面図。
【図８】同実施の形態に係る、エアフィルタに対するエアフィルタ押上げブラシと塵埃除去用ブレードの配置構造を説明する図。
【図９】同実施の形態に係る、ダストボックスの斜視図。
【図１０】同実施の形態に係る、ダストボックスの着脱操作を説明する図。
【図１１】同実施の形態に係る、さらにダストボックスの着脱操作を説明する図。
【図１２】同実施の形態に係る、さらにダストボックスの着脱操作を説明する図。
【図１３】同実施の形態に係る、ダストボックスのヒンジ構造を説明する図。
【発明を実施するための形態】
【００１３】
以下、本発明の実施の形態を、図面にもとづいて説明する。  
図１は空気調和機の室内機の外観を示す概略の斜視図である。（なお、説明中に符号を付していない部品は図示していない。図示しても符号を付していない部品もある。以下同じ）
室内機本体１は、前面、上面および左右両側面筐体を構成する前面パネル２と、ここでは図示しない下面および背面筐体を構成する後本体３とからなる。室内機本体１は、上下方向寸法に対して幅方向寸法が大であり、全体的に横長状に形成される。
【００１４】
前面パネル２の前面部に前面吸込み口４が設けられ、上面部に上面吸込み口５が開口されている。上記前面吸込み口４には、開閉駆動機構に支持される開閉パネル２Ａが開閉自在に嵌め込まれている。図１は冷暖房運転の停止状態を示していて、開閉パネル２Ａは前面パネル２と同一面となり前面吸込み口４を閉成している。
【００１５】
冷暖房運転が選択されると、開閉パネル２Ａは手前側に突出変位して周囲に室内と連通する隙間を生じ、前面吸込み口４を室内に開放するようになっている。上面吸込み口５には、複数の空間部に仕切る枠状の桟が嵌め込まれていて、上面吸込み口５は常時、開放状態にある。  
なお、前面吸込み口４に備えた上記前面パネル２は、開閉駆動機構に連結する開閉パネル２Ａを構成させたが、開閉駆動機構を持たない固定されたパネルで構成させたものでも良い。
【００１６】
図２は、前面パネル２を取外した状態の室内機の斜視図であり、図３は、同様に前面パネル２を取外した状態の室内機の縦断面図である。  
前面パネル２を取外すことにより後本体３の一部が見える。この後本体３には、エアフィルタＦを支持するエアフィルタ支持枠６Ａと、熱交換器７と、室内送風機８が支持されるとともに、吹出し口９が設けられる。
【００１７】
すなわち、前面パネル２と後本体３とを組合せて室内機本体１を構成した状態で、室内機本体１内には、前面パネル２の前面吸込み口４および上面吸込み口５と、後本体３の吹出し口９とを連通する送風路１０が形成される。そして、この送風路１０に、上記エアフィルタ支持枠６Ａと、熱交換器７と、室内送風機８が順次配置されることになる。
【００１８】
上記吹出し口９は、上記前面吸込み口４の下端部に沿って形成され、２枚の吹出しルーバー１１ａ，１１ｂが設けられる。これら吹出しルーバー１１ａ，１１ｂは、回動姿勢によって吹出し口９を開閉し、かつ運転条件に応じて熱交換空気の吹出し方向を設定する上下ルーバーである。
【００１９】
上記熱交換器７は、前側熱交換器部７Ａと後側熱交換器部７Ｂとで略逆Ｖ字状に形成される。前側熱交換器部７Ａは、前面吸込み口４全体および上面吸込み口５一部と対向するよう湾曲状に形成される。後側熱交換器部７Ｂは、直状で斜めに傾斜し上面吸込み口５一部と対向している。  
上記熱交換器７は、図示しない室外機に収容される圧縮機や室外熱交換器などと冷媒管を介して連通されていて、これらで冷凍サイクルが構成される。熱交換器７の前後側熱交換器部７Ａ，７Ｂ相互間に、上記室内送風機８が配置される。
【００２０】
室内送風機８は、室内機本体１の一側端のスペースに配置されたファンモータと、このファンモータの回転軸に連結される横流ファンとから構成される。横流ファンの軸方向長さは上記熱交換器７の幅方向長さと同一に設定され、互いに正しく対向するように配置される。
【００２１】
前側熱交換器部７Ａの下端部は前ドレンパン１２ａ上に載り、後側熱交換器部８Ｂの下端部は後ドレンパン１２ｂ上に載る。前、後ドレンパン１２ａ，１２ｂは、それぞれ室内機本体１を構成する後本体３に一体に成形され、熱交換器部７Ａ，７Ｂから滴下するドレン水を受けて、図示しない排水ホースを介し屋外へ排水できるようになっている。
【００２２】
前後ドレンパン１２ａ，１２ｂの一部側壁外面は室内送風機８に近接して設けられ、これらで室内送風機８の横流ファンに対するノーズを構成している。ノーズとなる前後ドレンパン１２ａ，１２ｂの側壁部分と吹出し口９の各辺部との間は、隔壁部材１３によって連結される。
【００２３】
上記室内送風機８を駆動することにより、隔壁部材１３で囲まれる空間が、ノーズと吹出し口９とを連通する、送風路１０における吹出し側となる。これに対して、前面吸込み口４および上面吸込み口５から熱交換器７に至る間が、送風路１０における吸込み側になる。
【００２４】
一方、上記エアフィルタ支持枠６Ａは、前面パネル２と熱交換器７との間に取付けられ、このエアフィルタ支持枠６Ａの下端部に沿って、エアフィルタ清掃装置Ｓを支持する清掃装置支持枠６Ｂが一体に設けられる。これらエアフィルタ支持枠６Ａと清掃装置支持枠６Ｂの一体構造物を、支持枠構造体Ｋと呼ぶ。
【００２５】
上記エアフィルタ支持枠６Ａは、前面吸込み口４と対向するとともに、前側熱交換器部７Ａ前面と間隙を存して曲成され、さらに、上面吸込み口５と対向し、後側熱交換器部７Ｂ上面と間隙を存して対向するよう曲成される。このエアフィルタ支持枠６Ａに支持されるエアフィルタＦも同様の姿勢形状をなす。
【００２６】
清掃装置支持枠６Ｂに支持されるエアフィルタ清掃装置Ｓは、エアフィルタ支持枠６Ａと吹出し口９に設けられる上部側吹出しルーバー１１ａとの間に沿って介設される。前面パネル２が取付けられた状態で、清掃装置支持枠６Ｂおよびエアフィルタ清掃装置Ｓとも前面パネル２により遮蔽され外部から見えない。  
清掃装置支持枠６Ｂにエアフィルタ清掃装置Ｓを支持した状態で、エアフィルタ支持枠６Ａの前面延長上にエアフィルタ清掃装置Ｓ前面が位置する。したがって、前面パネル２を取外しても、外観的に何らの違和感もない。
【００２７】
図４は、支持枠構造体Ｋの斜視図である。ただし、エアフィルタ清掃装置Ｓの一部を省略して示している。  
図３および図４に示すように、上記エアフィルタ支持枠６Ａは前面枠体１４ａと後面枠体１４ｂとを重ね合せて構成される。前面枠体１４ａと後面枠体１４ｂのそれぞれは、左右両側部と中央部の縦桟と、これら縦桟の後端部と前端部を連結する横桟と、これら縦桟と横桟との間に矩形状に組込まれる仕切り桟とを備える。
【００２８】
前面枠体１４ａの縦桟と後面枠体１４ｂの縦桟との間には、仕切りガイド桟１４ｃが設けられる。この仕切りガイド桟１４ｃにより、前面枠体１４ａと仕切りガイド桟１４ｃとの間と、仕切りガイド桟１４ｃと後面枠体１４ｂとの間のそれぞれに、空間スペースが確保されている。  
前面枠体１４ａの下端部は、清掃装置支持枠６Ｂの前端部と連結され、後面枠体１４ｂの下端部は清掃装置支持枠６Ｂの後端部と連結される。前面枠体１４ａと後面枠体１４ｂの下端部相互間は、これらの上端部相互間に比較して広い間隔を存して形成される。
【００２９】
上記仕切りガイド桟１４ｃは、上端部が板厚そのものであり、下端部は断面三角袋状に形成される。このことにより、仕切りガイド桟１４ｃの上端部から下端部に亘って、仕切りガイド桟１４ｃに対する前面枠体１４ａと後面枠体１４ｂとの間隔は全て同一に設定される。
【００３０】
エアフィルタ支持枠６Ａの中央部の縦桟ａを境に、左右両側に２枚の上記エアフィルタＦが支持される。なお説明すると、後述するエアフィルタＦに対する清掃時以外の通常の状態、すなわち空調運転時および運転停止時においては、各エアフィルタＦは前面枠体１４ａと仕切りガイド桟１４ｃとの間の空間スペースに収容支持される。
【００３１】
エアフィルタＦの左右幅寸法は、エアフィルタ支持枠６Ａを構成する左側部もしくは右側部の縦桟と中央部の縦桟ａとの間の寸法と一致し、エアフィルタＦの上下端部間寸法は、エアフィルタ支持枠６Ａを構成する前端部横桟と後端部横桟との間の寸法と一致するように形成される。
【００３２】
図５は、左右いずれか一方のエアフィルタＦと、このエアフィルタＦを送るエアフィルタ送りギヤ（エアフィルタ移動手段）１５の一部および、エアフィルタ清掃装置Ｓの一部を示す斜視図であり、図６は図５の側面図である。
【００３３】
上記エアフィルタＦは、複数本の縦桟部ｆａと横桟部ｆｂとで矩形状に形成されていて、これら縦桟部ｆａと横桟部ｆｂとの間は極薄のシート部ｆｃが一体に設けられる。上記シート部ｆｃには、空気の流通を許容し、空気に含まれる塵埃は捕捉する直径のフィルタ孔ｄが縦横整然と所定間隔を存して開口されて、実質的なフィルタ部となっている。
【００３４】
エアフィルタＦを構成する縦桟部ｆａの裏面側には、この全長に亘って歯部ｆｅが連続して設けられ、タイミングベルト状をなす。各縦桟部ｆａの下端部は、最も下端側の横桟部ｆｂから下方に突出する突出部ｆａａとなっていて、突出部ｆａａ裏面の歯部ｆｅが通常の状態でエアフィルタ送りギヤ１５に噛合する。
【００３５】
再び図４に示すように、各エアフィルタ送りギヤ１５は、エアフィルタ清掃装置Ｓを構成する塵埃押上げブラシ（塵埃押上げ手段）１６の軸方向に沿い所定間隔を存して設けられている。すなわち、エアフィルタ送りギヤ１５と塵埃押上げブラシ１６とは一体に構成され、配置スペースの低減化を図っている。
【００３６】
上記清掃装置支持枠６Ｂは、この左右両側部が上記エアフィルタ支持枠６Ａを構成する左右両側部の縦桟の延長上に設けられる側片部１７ａと、この左右両側片部１７ａの後端縁相互を連結する受け面部１７ｂと、エアフィルタ支持枠６Ａにおける中央部の縦桟ａの延長上に設けられる中央片部１７ｃを備えている。
【００３７】
左右の側片部１７ａと中央片部１７ｃに、上記塵埃押上げブラシ１６の回転軸１６ａを軸支する軸受け部が設けられ、左右の側片部１７ａにエアフィルタ清掃装置Ｓを構成するダストボックス２０を着脱自在に取付けるための取付け用凹部２１が設けられる。
【００３８】
一方の側片部１７ａ外面に、４個の駆動モータＭが取付けられる。上部２個の駆動モータＭが図示しないギヤ組立を介して塵埃押上げブラシ１６の回転軸１６ａに連結され、下部２個の駆動モータＭが、図示しないギヤ組立を介して塵埃除去用ブレード１８の回転軸１８ａに着脱自在に連結される。
【００３９】
清掃装置支持枠６Ｂの右側部には熱交換器７に接続される冷媒管が突出して（図２に示す）、側片部１７ａ外面にはスペース的に大型の駆動モータを取付ける余裕が無い。小型の駆動モータしか取付けられないうえに、１個の小型駆動モータでは充分なトルクが得られない。したがって、各々２個の駆動モータＭを用いてトルクを確保している。
【００４０】
上記塵埃押上げブラシ１６の回転軸１６ａに連結される駆動モータＭは、エアフィルタ送りギヤ１５の駆動源も兼用する。したがって、塵埃押上げブラシ１６と各エアフィルタ送りギヤ１５は同時に回転駆動され、エアフィルタ送りギヤ１５に歯部ｆｅが噛合する２枚のエアフィルタＦは同時に移動させられる。
【００４１】
再び図５に示すように、通常の状態で、エアフィルタＦ下端の突出部ｆｅｅに設けられる歯部ｆｅがエアフィルタ送りギヤ１５に噛合している。そのため、エアフィルタＦの下端横桟部ｆｂは塵埃押上げブラシ１６から離間している。塵埃押上げブラシ１６のブラシ毛にストレスがかかっていないから、ブラシ毛の長寿命化を得られる。
【００４２】
特に図６は、先に説明したエアフィルタ支持枠６ＡのエアフィルタＦに対する支持構造および、エアフィルタ支持枠６Ａとエアフィルタ送りギヤ１５との関係を示している。エ前面枠体１４ａと後面枠体１４ｂの縦桟下端部は、エアフィルタ送りギヤ１５の曲率半径よりも、ある程度大なる曲面をなして、一体に連結される。
【００４３】
上記仕切りガイド桟１４ｃ下端部は、エアフィルタ送りギヤ１５に沿って曲成される。エアフィルタＦが通常の状態にあるときから、エアフィルタ送りギヤ１５が反時計回り方向に回転駆動されると、エアフィルタＦは下端部からエアフィルタ送りギヤ１５と前後枠体１４ａ，１４ｂの曲成した連結部との間にガイドされる。
【００４４】
そして、エアフィルタＦは仕切りガイド桟１４ｃと後面枠体１４ｂとの間の空間スペースに導かれ、それまでの下端部が上端部に変って上昇移動させられる。ついには、エアフィルタＦの上端部が仕切りガイド桟１４ｃと後面枠体１４ｂとの上端部に衝止させられる位置で、駆動モータＭを停止制御するよう設定されている。
【００４５】
つぎに、上記エアフィルタ清掃装置Ｓについて説明する。  
図７はエアフィルタ清掃装置Ｓの縦断面図である。なお、図２ではエアフィルタ清掃装置Ｓの外観を示し、図３では図７の縮小版として示し、図４ではエアフィルタ清掃装置Ｓの一部を省略した外観として示し、図５および図６ではエアフィルタ清掃装置Ｓの一部のみを示している。
【００４６】
上記エアフィルタ清掃装置Ｓは、エアフィルタ送りギヤ（エアフィルタ移動手段）１３および塵埃押上げブラシ（塵埃押上げ手段）１６の他に、塵埃除去用ブレード（塵埃除去手段）１８を備えていて、この塵埃除去用ブレード１８は上記ダストボックス２０内に収容される。
【００４７】
塵埃押上げブラシ１６は、回転軸１６ａの周面にブラシ毛ｂが植毛されてなり、全体的に略円柱状に形成される。上記塵埃除去用ブレード１８は、回転軸１８ａの周方向に所定間隔を存して複数条のブレード片（回転体）ｈが設けられる。ブレード片ｈは薄肉の弾性部材（たとえばゴム板）であり、回転軸１８ａの軸方向に沿って螺旋状に曲成される。
【００４８】
図８は、エアフィルタ（破線で示す）Ｆに対する塵埃押上げブラシ１６と塵埃除去用ブレード１８の配置構造を説明するための図である。先に図６で説明したように、エアフィルタ送りギヤ１５が反時計回り方向に回転駆動され、エアフィルタＦが図に二点鎖線矢印で示す方向に移動させられる途中の状態を概略的に示している。
【００４９】
塵埃押上げブラシ１６のブラシ毛ｂは、回転軸１６ａに対して略直立して植毛され、かつブラシ毛ｂの直径は先に説明したエアフィルタＦのフィルタ孔ｄ直径よりも細いものが選択されている。
【００５０】
上述したように、エアフィルタＦを変位移動させるエアフィルタ送りギヤ１５の回転駆動源と、塵埃押上げブラシ１６の回転駆動源とは同一の駆動モータＭを用いているので、エアフィルタＦの移動速度と、塵埃押上げブラシ１６の周速度とが同一である。換言すれば、塵埃押上げブラシ１６はエアフィルタＦの移動時における、エアフィルタＦとの相対速度を“０”として回転することとなる。
【００５１】
しかも、塵埃押上げブラシ１６のブラシ毛ｂは、回転軸１６ａに対して略直立して植毛され、かつブラシ毛ｂの直径はエアフィルタＦのフィルタ孔ｄ直径よりも細いものが選択されているので、ブラシ毛ｂは確実にエアフィルタＦのフィルタ孔ｄ内に挿入する。
【００５２】
一方、上記塵埃除去用ブレード１８の回転軸１８ａは、上記塵埃押上げブラシ１６の回転軸１６ａと平行に設けられている。そして、塵埃除去用ブレード１８の回転軸１８ａの回転速度は、エアフィルタ送りギヤ１５によるエアフィルタＦの移動速度よりも相対的に速く設定されている。
【００５３】
塵埃押上げブラシ１６の回転軸１６ａ中心からブラシ毛ｂの先端までの長さ（半径）をＲ１とし、塵埃除去用ブレード１８の回転軸１８ａ中心からブレード片ｈ先端までの長さ（半径）をＲ２とし、塵埃押上げブラシ１６と塵埃除去用ブレード１８との軸間距離をＬとする。
【００５４】
ここでは、塵埃押上げブラシ１６の回転軸１６ａ中心からブラシ毛ｂの先端までの長さ（半径）Ｒ１と、塵埃除去用ブレード１８の回転軸１８ａ中心からブレード片ｈ先端までの長さ（半径）Ｒ２との和が、塵埃押上げブラシ１６と塵埃除去用ブレード１８との軸間距離Ｌよりも大（Ｒ１＋Ｒ２  ＞  Ｌ）に設定される。  
したがって、塵埃押上げブラシ１６のブラシ毛ｂ先端と、塵埃除去用ブレード１８のブレード片ｈ先端とは重なり合うようにして取付けられる。
【００５５】
図９は、清掃装置支持枠６Ｂから取外した状態の上記ダストボックス２０単独の斜視図であり、実際の取付け状態の裏面側から見ている。図７に示すエアフィルタ清掃装置Ｓの右側部から見たダストボックス２０である。  
ダストボックス２０の上下方向の略中央部に、左右幅方向に亘って開口部２０ａが設けられ、ここから塵埃除去用ブレード１８が露出する。開口部２０ａから上部は湾曲成され、所定部位に取付けられた状態で上記塵埃押上げ用ブラシ１６の周面一部に沿う。この曲成部２２には幅方向に沿って窓部２３が開口される。
【００５６】
通常の状態で、上記エアフィルタＦ下端部は塵埃押上げブラシ１６と同軸のエアフィルタ送りギヤ１５に噛合している。このエアフィルタＦ下端部をダストボックス２０の曲成部２２が覆うので、窓部２３を設けることで空気の流通を促し、エアフィルタＦの濾過面積の確保をなす。
【００５７】
上記塵埃除去用ブレード１８の回転軸１８ａは、ダストボックス２０の両側部に軸支されていて、回転軸１８ａの一端部はダストボックス２０の側面部から突出する。この回転軸１８ａの突出部が上記駆動モータＭに着脱自在に連結されることは先に説明したとおりである。
【００５８】
ダストボックスの２０下端部である回転軸１８ａ突出部の下部位置には、掛止用突部２５が設けられている。この掛止用突部２５は、上記清掃装置支持枠６Ｂの両側片部１７ａに設けられる上記取付け用凹部２１（図４に示す）に掛脱自在である。
【００５９】
図１０は、清掃装置支持枠６Ｂからダストボックス２０を取外した状態を示している。上記側片部１７ａに設けられる取付け用凹部２１は、側片部１７ａの側端縁から水平方向に切り込まれ、所定部位において下方に屈曲形成される凹部である。上記掛止用突部２５の直径よりも若干広い幅寸法で、掛止用突部２５寸法よりも深い寸法に形成される。
【００６０】
図１１は、清掃装置支持枠６Ｂにダストボックス２０の一端部を掛止した状態を示している。すなわち、ダストボックス２０の掛止用突部２５が清掃装置支持枠側片部１７ａの取付け用凹部２１に掛止する。このとき、ダストボックス２０の曲成部２２が清掃装置支持枠６Ｂ前面から突出しているので、掛止用突部２５を支点としてダストボックス２０を塵埃押上げブラシ１６側に回動付勢する。
【００６１】
図１２は、ダストボックス２０の曲成部２２を清掃装置支持枠６Ｂに取付け固定している状態を示す斜視図である。ダストボックス２０の曲成部２２で、この表面側における左右両側部と中央部にスライド爪部２６が設けられている。これに対して左右の側片部１７ａと中央の側片部１７ｃのそれぞれに掛止用孔２７が設けられている。
【００６２】
ダストボックス２０の曲成部２２が塵埃押上げブラシ１６を覆う部位まで回動し、かつスライド爪部２６をスライド付勢して、この先端部を側片部１７ａ，１７ｃの掛止用孔２７に挿入すれば、ダストボックス２０を清掃装置支持枠６Ｂの所定部位に取付けられる。逆の操作をなせば、ダストボックス２０を清掃装置支持枠６Ｂから取外せる。
【００６３】
図１３は、ダストボックス２０に備えられるヒンジ構造を示している。すなわち、ダストボックス２０の塵埃除去用ブレード１８から下部側は、後述するように塵埃除去用ブレード１８がエアフィルタＦから除去した塵埃を収容する塵埃収容部２８となっている。この塵埃収容部２８に塵埃が満杯になったときは、塵埃を排出しなければならない。
【００６４】
そのため、曲成部２２の下端部位にヒンジ部ｅを備えた開閉蓋３０が設けられ、塵埃収容部２８の一部を構成している。開閉蓋３０の下端部は爪部３０ａが設けられ、開口端縁に着脱自在である。開閉蓋３０の爪部３０ａを外し、ヒンジ部ｅを支点として開閉蓋３０を回動すれば、塵埃収容部２８が開放されることとなる。
【００６５】
つぎに、上述のようにして構成される空気調和機の室内機の作用について説明する。  
冷房運転もしくは暖房運転等の空調運転開始の信号が制御部に入ると、室外機に配置される圧縮機に駆動信号が送られて冷凍サイクル運転が開始される。  
同時に、室内機本体１に備えられる開閉パネル２Ａの開閉駆動機構の駆動源に駆動信号が送られるとともに、室内送風機８に駆動信号が送られる。開閉パネル２Ａが図１に２点鎖線で示す位置に変位し、前面パネル２に設けられる前面吸込み口４が開放される。
【００６６】
室内空気は前面吸込み口４と上面吸込み口５から室内機本体１内に吸込まれ、吸込み側の送風路１０に沿って導かれる。はじめにエアフィルタＦを流通し、室内空気に含まれる塵埃は捕捉される。濾過され清浄化した室内空気は、熱交換器７を構成する前側熱交換器部７Ａと後側熱交換器部７Ｂに導かれる。
【００６７】
熱交換器７と室内空気は熱交換をなし、冷房運転モードが選択されていれば、室内空気は冷気となり、暖房運転モードが選択されていれば暖気に変る。熱交換空気は吹出し側の送風路１０に沿って導かれ、吹出し口９から吹出しルーバー１１ａ，１１ｂに案内されて室内へ吹出される。
【００６８】
冷気が室内に吹出されることにより室内温度が低下し、冷房作用をなす。暖気が室内に吹出されることにより室内温度が上昇し、暖房作用をなす。いずれにしても、室内機本体１内に吸込まれた室内空気はエアフィルタＦを流通する際に、室内空気に含まれる塵埃が捕捉され、常に清浄化した熱交換空気が室内に吹出されて、室内の清浄化をなす。
【００６９】
長期の使用に亘れば、エアフィルタＦに捕捉された塵埃が厚く積もり、目詰まりが生じる。そのまま放置すれば熱交換効率が低下して、冷房能力と暖房能力に影響が生じる。そこで、ユーザは空調運転に先立ち、もしくは空調運転の終了後に、リモコン（遠隔操作盤）に設けられる、「エアフィルタお掃除ボタン」を押す。  
この信号が制御部に入ると、エアフィルタ清掃装置Ｓの駆動モータＭに駆動信号が送られて、エアフィルタ送りギヤ１５とエアフィルタ押上げブラシ１６が一体に回転駆動されるとともに、塵埃除去用ブレード１８が回転駆動される。
【００７０】
図６ないし図８に示すエアフィルタ送りギヤ１５とエアフィルタ押上げブラシ１６が反時計回り方向に回転する。互いに噛合するエアフィルタ送りギヤ１５とエアフィルタＦの歯部ｆｅの関係から、エアフィルタＦはそれまでの前面枠体１４ａと仕切りガイド桟１４ｃとの間から、仕切りガイド桟１４ｃと後面枠体１４ｂとの間に移動する。  
上記エアフィルタ押上げブラシ１６は、エアフィルタＦを移動させるエアフィルタ送りギヤ１５と一体に設けられているので、エアフィルタＦの移動時において、エアフィルタＦとの相対速度を略０として回転する。
【００７１】
そして、図８で説明したエアフィルタ押上げブラシ１６と塵埃除去用ブレード１８との配置構造の設定（Ｒ１＋Ｒ２＞Ｌ）と、エアフィルタ押上げブラシ１６のブラシ毛ｂの太さとエアフィルタＦのフィルタ孔ｄ直径の大小関係から、エアフィルタ押上げブラシ１６のブラシ毛ｂはエアフィルタＦのフィルタ孔ｄに確実に挿入する。
【００７２】
エアフィルタＦのフィルタ孔ｄに詰まっていた塵埃は、エアフィルタ押上げブラシ１６のブラシ毛ｂによってフィルタ孔ｄから押上げられる。なお説明すると、エアフィルタ押上げブラシ１６はエアフィルタＦの熱交換空気導出側である２次側に配置されていて、ブラシ毛ｂによって塵埃は熱交換空気導入側である１次側へ押し出される。
【００７３】
具体的には、塵埃はエアフィルタ押上げブラシ１６によって１次側に配置される塵埃除去用ブレード１８に向って押し上げられる。このとき、エアフィルタＦとエアフィルタ押上げブラシ１６の相対速度が０なので、エアフィルタ押上げブラシ１６をエアフィルタＦに深く当ててもエアフィルタＦの駆動トルクが増大し難い。
【００７４】
エアフィルタ押上げブラシ１６は回転する円柱状のブラシであり、ブラシ毛ｂは回転軸１６ａに対して略直立しているので、エアフィルタＦの１次側の面に塵埃を確実に浮き上がらせる。また、エアフィルタ押上げブラシ１６とエアフィルタ送りギヤ１５とは一体に連結されるので、構造をシンプル化し、品質を上げることができる。
【００７５】
塵埃除去用ブレード１８の回転軸１８ａと、エアフィルタ押上げブラシ１６の回転軸１６ａが互いに平行に設けられ、塵埃除去用ブレード１８の回転速度はエアフィルタ送りギヤ１５によるエアフィルタＦの移動速度、すなわちエアフィルタ押上げブラシ１６の回転速度よりも相対的に速く設定されている。
【００７６】
しかも、塵埃除去用ブレード１８は回転体であり、比較的簡素な構造でありながら、反時計回り方向に回転することで、１次側に浮いた塵埃をエアフィルタＦから確実に除去するとともに、塵埃除去用ブレード１８からの塵埃除去を連続して行う。  
エアフィルタＦが移動して全長に亘って仕切りガイド桟１４ｃと後面枠体１４ｂとの間の空間スペースに納まったら、制御部は駆動モータＭに停止信号を送る。そして、タイミングをとって再び駆動モータＭに反転駆動信号を送る。
【００７７】
エアフィルタ送りギヤ１５とエアフィルタ押上げブラシ１６は時計回り方向に回転駆動され、塵埃除去用ブレード１８は時計回り方向に回転駆動される。エアフィルタＦは再び移動して、エアフィルタ押上げブラシ１６と塵埃除去用ブレード１８との間を通過し、元の前面枠体１４ａと仕切りガイド桟１４ｃとの間の空間スペースに戻る。
【００７８】
このときも、エアフィルタＦのフィルタ孔ｄに残留していた塵埃が、２次側に配置されるエアフィルタ押上げブラシ１６によって１次側に押上げられ、１次側に配置される塵埃除去用ブレード１８によってエアフィルタＦから確実に除去される。  
結局、エアフィルタＦは往復の移動中に継続してエアフィルタ押上げブラシ１６によってフィルタ孔ｄに目詰まりしていた塵埃が２次側から１次側に押上げられ、１次側に配置される塵埃除去用ブレード１８によって除去される。エアフィルタＦが元の位置に戻った状態で、エアフィルタＦに付着していた塵埃は完全に除去される。
【００７９】
塵埃除去用ブレード１８がエアフィルタＦから除去した塵埃は、ダストボックス２０内の塵埃収容部２８に貯留される。「エアフィルタお掃除ボタン」を複数回押し、エアフィルタＦを清掃することで、塵埃収容部２８内の塵埃はほぼ満杯状態になる。そこで、ダストボックス２０をエアフィルタ清掃装置Ｓから取外し、内部の塵埃を廃棄する。  
先に図１２で説明したのとは逆に、エアフィルタ清掃装置Ｓを構成する曲成部２２に設けられるスライド爪部２６をスライド付勢して、この先端部を側片部１７ａ，１７ｃの掛止用孔２７から抜き出す。
【００８０】
つぎに、先に図１１で説明したのとは逆に、ダストボックス２０の掛止用突部２５を支点として回動し、曲成部２２上端を清掃装置支持枠６Ｂよりも手前側に突出する。そして、先に図１０で説明したように、掛止用突部２５を取付け用凹部２１から抜き出せば、塵埃除去用ブレード１８ごとダストボックス２０を清掃装置支持枠６Ｂから取出せる。
【００８１】
この状態から図１３に示すように、開閉蓋３０の爪部３０ａを外し、ヒンジ部ｅを支点として開閉蓋３０を回動する。塵埃収容部２８が開放され、ここに満杯状態になっている塵埃を廃棄できる。そのあと上述とは逆の操作をして、ダストボックス２０を清掃装置支持枠６Ｂの所定部位に取付ければよい。
【００８２】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【符号の説明】
【００８３】
１…室内機本体、４…前面吸込み口、５…上面吸込み口、９…吹出し口、１０送風路、Ｆ…エアフィルタ、７…熱交換器、８…室内送風機、Ｓ…エアフィルタ清掃装置、１５…エアフィルタ送りギヤ（エアフィルタ移動手段）、１８…塵埃除去用ブレード（塵埃除去手段）、１６…エアフィルタ押上げブラシ（塵埃押上げ手段）、１６ａ…回転軸、ｂ…ブラシ毛、ｄ…フィルタ孔。
【図１】
2010249358.tif 000003
【図２】
2010249358.tif 000004
【図３】
2010249358.tif 000005
【図４】
2010249358.tif 000006
【図５】
2010249358.tif 000007
【図６】
2010249358.tif 000008
【図７】
2010249358.tif 000009
【図８】
2010249358.tif 000010
【図９】
2010249358.tif 000011
【図１０】
2010249358.tif 000012
【図１１】
2010249358.tif 000013
【図１２】
2010249358.tif 000014
【図１３】
2010249358.tif 000015